(57)【要約】      （修正有）【課題】体感型のイベント会場の場所の固定化の問題点を解決する自動車を提供する。【解決手段】（イ）自動車の屋根と側壁にまたがって取り外し可能な立体造形物（キャラクター）２をはめ込むように設ける。（ロ）自動車の屋根の後方だけ上昇可能に固定する。（ハ）自動車の屋根（天井）にプロジェクター５を設ける。（ニ）自動車の屋根（天井）を上昇させてスクリーン４を張ることができる。（ホ）自動車の車内の床に振動する単体機器６（３Ｄ振動）を設置する。（ヘ）自動車の車外のキャラクターの口等から水蒸気（ミスト）やスモークレーザー光線が出る機器等を設置する。（ト）自動車の車内に水蒸気（ミスト）、スモークの発生、レーザー光線が出る機器等を設置する。（チ）自動車の車内で観客にＶＲ機器（３Ｄ体感器）を使用してもらう。以上の装置を設置した移動式体感自動車であるため全国への移動可能となる。【選択図】図５
2020063027.tif 000002
【特許請求の範囲】
【請求項１】
屋根と側壁にまたがって取り外し可能な立体造形物（キャラクター）をはめこむように設け、その屋根の後方だけ上昇可能に固定し（天井）にプロジェクターを設け、上昇させた屋根からスクリーンを張ることができ、車外のキャラクターの口等からは水蒸気（ミスト）やスモーク、レーザー光線が出る機器等を設置し、自動車の車内の床には振動する単体の機器（３Ｄ振動）モークの発生、レーザー光線が出る機器等を設置し鑑賞者に臨場感を体感してもい、自動車の車内で観客にＶＲ機器（３Ｄ体感器）を使用してもらう、イベント用の自動車に関するものである。
【発明の詳細な説明】
【技術分野】
【０００１】  本発明はイベント用の自動車であり、その屋根と側壁にまたがって取り外し可能な立体造形物（キャラクター）をはめこむように設け、その屋根の後方だけ上昇可能に固定する。またその屋根（天井）にプロジェクターを設け、上昇させた屋根からスクリーンを張ることができる。車外のキャラクターの口等からは水蒸気（ミスト）やスモーク、レーザー光線が出る機器等を設置する。
自動車の車内の床には振動する単体の機器（３Ｄ振動）を設置し、車内にも水蒸気（ミスト）、スモークの発生、レーザー光線が出る機器等を設置し鑑賞者に臨場感を体感してもらう。自動車の車内で観客にＶＲ機器（３Ｄ体感器）を使用してもらう、自動車に関するものである。
【背景技術】
【０００２】  これまでの体感型のイベント会場等は、パビリオンや屋内でしか、催されることがなかった。そのため、遠方からの鑑賞者はその会場にわざわざ出向かなければならなかった。
【発明の概要】
【発明が解決しようとする課題】
【０００３】  以上に述べた従来のイベント会場の場所の固定化の問題点を解決するために、発明されたものである。
【課題を解決するための手段】
【０００４】  本発明はイベント用の自動車であり、その屋根と側壁にまたがって取り外し可能な立体造形物（キャラクター）をはめこむように設け、その屋根の後方だけ上昇可能に固定する。車外のキャラクターの口等からは水蒸気（ミスト）やスモーク、レーザー光線が出る機器等を設置する。またその屋根（天井）の内側にプロジェクターを設け、上昇させた屋根からスクリーンを張ることができる。自動車の車内の床には振動する単体の機器（３Ｄ振動）を設置し、車内にも水蒸気（ミスト）、スモークの発生、レーザー光線が出る機器等を設置し鑑賞者に臨場感を体感してもらう。自動車の車内で観客にＶＲ機器（３Ｄ体感器）を使用してもらう、自動車に関するものである。
【発明の効果】
【０００５】  上述したように、従来までは、体感型等のイベント会場等は、パビリオンや屋内でしか催されることがなかったため、場所が固定され、遠方からの鑑賞者はなかなか身近に参加することが出来なかったが、本発明のイベント用の移動式体感自動車は、取り外し可能な立体造形物（キャラクター）を使用することにより、多くの鑑賞者に楽しんでいただけることはもとより、企業のイベントとしての公報にも役に立つことが出来るものである。
【図面の簡単な説明】
【０００６】
【図１】本発明の実施形態を示す自動車の上部に組み合わせた自動車の側面図。
【図２】本発明の実施形態を示す自動車の側面図。
【図３】本発明の実施形態を示す自動車の後部屋根を上昇した側面図。
【図４】本発明の実施形態を示す自動車に立体造形物を組み合わせた一部断面図。
【図５】本発明の実施形態を示す自動車と立体造形物の縦断面詳細図である。
【図６】本発明の実施形態を示す車内で鑑賞者にＶＲ（３Ｄ体感器）を装着してもらい、足元には振動単体機器（３Ｄ振動）の上部に足を置き、椅子に座った状態の側面図である。
【図７】本発明の実施形態を示す恐竜の立体造形物を自動車に組み合わせてその恐竜の口からスモークが発生している状態の自動車の側面図
【図８】本発明の実施形態を示す異なる形をした立体造形物の側面図である。
【発明を実施するための形態】
【０００７】  以下本発明の実施を説明する。
本発明はイベント用の自動車であり、その屋根と側壁にまたがって、取り外し可能な立体造形物（キャラクター）をはめこむように設け、その屋根の後方だけ上昇可能に固定する。車外のキャラクターの口等からは水蒸気（ミスト）やスモーク、レーザー光線が出る機器等を設置する。またその屋根（天井）の内側にプロジェクターを設け、上昇させた屋根からスクリーンを張ることができる。自動車の車内の床には振動する単体の機器（３Ｄ振動）を設置し、車内にも水蒸気（ミスト）、スモークの発生、レーザー光線が出る機器等を設置し鑑賞者に臨場感を体感してもらう。自動車の車内で観客にＶＲ機器（３Ｄ体感器）を使用してもらう。
【実施例】
【０００８】  以下、図面に従って説明する。１は自動車、２は取り外し可能な立体造形物、３は自動車の後方を上昇させるための可動式屋根、４はプロジェクターを映すためのスクリーン、５はプロジェクター、６は鑑賞者の足元を揺らすための振動する単体機器、７は鑑賞者を座らせるための椅子、８は振動する単体機器のための機械室、９は鑑賞者に装着したＶＲ機器（３Ｄ体感器）、１０は２と違った形状をした立体造形物（キャラクター）、１１は恐竜の口から出したスモーク。【０００９】  本発明の一実施例は上述の構成からなるものであるが、１の自動車はバスやトラック等どのような車でも良い。また、２および１０の立体造形物（キャラクター）は、どのような形をしたものでも良い。６の単体機器（３Ｄ振動）は単体でなく、床全体を振動させる装置でも良い。
【産業上の利用可能性】
【０００９】  本発明のイベント用の自動車には、取り外し可能な立体造形物（キャラクター）を組み合わせているので、立体造形物を取り外して別に運搬すると、普通の自動車として一般道路を走行することができる。その結果、全国どこにでも行くことが可能になり、体感型のイベントを催すことが出来る。
【符号の説明】
【０００８】１    自動車
２    立体造形物（キャラクター）
３    自動車の可動式屋根
４    スクリーン
５    プロジェクター
６    振動する単体機器
７    椅子
８    機械室
９    ＶＲ機器（３Ｄ体感器）
１０  立体造形物（キャラクター）
１１  スモーク
【図１】
2020063027.tif 000003
【図２】
2020063027.tif 000004
【図３】
2020063027.tif 000005
【図４】
2020063027.tif 000006
【図５】
2020063027.tif 000007
【図６】
2020063027.tif 000008
【図７】
2020063027.tif 000009
【図８】
2020063027.tif 000010